(57)【要約】【課題】書類に記載した情報の機密性を肉眼では読み取りできないように保持するための隠蔽シールを改良することにより、隠蔽性はそのままで、その書類に記入する筆記用具を限定せずに、隠蔽シールを貼り付けた状態にて、機械読み取りを可能にする。【解決手段】機密情報（２３）が記載されたハガキ等の書類（２）の機密情報記載領域に貼着してその機密情報を隠蔽するための隠蔽シール（１）であって、４００〜１０００ｎｍの可視光および近赤外光を透過する基材（１１）上の、少なくとも片面に、４００〜７８０ｎｍの可視光の一部の波長領域の光と７８０〜１４００ｎｍの赤外光を透過する墨インキにて隠蔽層（１２）を設けてあり、基材シート面側、または、隠蔽層側に、前記該書類に貼着するための粘着層（１３）が設けていることを特徴とする隠蔽シール。【選択図】図３
2010032684.tif 000002
【特許請求の範囲】
【請求項１】
機密情報が記載されたハガキ等の書類の機密情報記載領域に貼着してその機密情報を隠蔽するための隠蔽シールであって、４００〜１０００ｎｍの可視光および近赤外光を透過する基材上の、少なくとも片面に、４００〜７８０ｎｍの可視光の一部の波長領域の光と７８０〜１４００ｎｍの赤外光を透過する墨インキにて隠蔽層を設けてあり、基材シート面側、または、隠蔽層側に、前記該書類に貼着するための粘着層が設けていることを特徴とする隠蔽シール。
【請求項２】
可視光および近赤外光４００〜１４００ｎｍにおける反射率が７０%以上の反射性基材上に、機密情報が記載された領域があり、この領域が請求項１に記載の隠蔽シールで隠蔽されていることを特徴とする機密情報用書類。
【請求項３】
前記機密情報が青色のボールペンにて記載されていることを特徴とする請求項２記載の機密情報用書類。
【請求項４】
請求項２又は３記載の機密情報用書類の機密情報を、前記隠蔽シールを剥がさずに、読み取る機密情報読取方法であって、可視光４００〜７８０ｎｍのうち隠蔽層を透過する任意の波長の光を照射して読み取ることを特徴とする機密情報読取方法。
【発明の詳細な説明】
【技術分野】
【０００１】
本発明は、申込み用紙等の伝票類や葉書類等の書類に記載した情報の機密性を保持するための隠蔽シール及びこれを用いた機密情報用書類及び機密情報読取方法に関する。特に、可視光の一部の波長領域および近赤外光の波長領域を透過する墨インキにて隠蔽層を設け、隠蔽シールを貼ったままの状態で、機密情報を読み取ることができる隠蔽シールおよびこれを用いた機密情報用書類及び機密情報読取方法に関する。
【背景技術】
【０００２】
従来より、申し込み者が、申込み受付者に対して、郵送用申込み用紙等の伝票類や葉書類等の書類を用いて所定の申込みを行う際に、申込み受付者への書類送達時まで、その書類に記載した情報の機密性を保持してその情報を隠蔽して見ることができないようにするセキュリティ技術がある。
【０００３】
このセキュリティ技術によれば、まず申し込み者が赤外光吸収性材料による複写用カーボンシートとポールペン等とを用いて、あるいは赤外光吸収性インキ（カーボンインキ等）による筆記ペン等の筆記用具、あるいは鉛筆、シャープペンシルの芯等を用いて、当該書類の機密情報記載領域に隠蔽情報を記載する。そして、この機密情報記載領域に隠蔽シールを、その裏面の粘着性接着剤層（剥離可能であって再接着不可）を介して貼着する（例えば特許文献１参照）。
【０００４】
この隠蔽シールは、紙基材シートに、可視光不透過性であって赤外光透過性の隠蔽性インキを塗布または印刷して構成されたもので、この隠蔽シールを貼着した機密情報記載領域においては、赤外光（赤外光照明方式の自動読取装置）によって、その機密情報を読み取ることはできるが、可視光不透過性であるために肉眼によっては読み取ることはできない。したがって、肉眼によって読み取ることができない場合、隠蔽性は高いが、文字を書く際にも実際の文字を見ながらかくことができないため、文字を書き難いという問題点があった。
【０００５】
また、一般的に正式書類に使用する情報の記入や署名の際には、紺色等の青系のペンや万年筆も使用可能である。むしろ、コピー防止等の偽造防止の観点から、紺色等の青系のペンでの署名を求められることもしばしばある。また、書類には複写伝票も多く、文字は青色に複写されることが多い。しかしながら、上述したように、これらの隠蔽シールと読み取り方法では、筆記するペン等が赤外光吸収性の筆記ペンや鉛筆、シャープペンシルの芯等に限定されてしまうという問題点があった。
【特許文献１】特開２００７−２７１９６５
【発明の開示】
【発明が解決しようとする課題】
【０００６】
本発明は以上のような問題点に着目してなされたもので、上記のような書類に記載した情報の機密性を肉眼では読み取りできないように保持するための隠蔽シールを改良することにより、隠蔽性はそのままで、その書類に記入する筆記用具を限定せずに、隠蔽シールを貼り付けた状態にて、機械読み取りを可能にすることを課題とする。
【課題を解決するための手段】
【０００７】
本発明において上記課題を解決するために、まず請求項１の発明では、機密情報が記載されたハガキ等の書類の機密情報記載領域に貼着してその機密情報を隠蔽するための隠蔽
シールであって、４００〜１０００ｎｍの可視光および近赤外光を透過する基材上の、少なくとも片面に、４００〜７８０ｎｍの可視光の一部の波長領域の光と７８０〜１４００ｎｍの赤外光を透過する墨インキにて隠蔽層を設けてあり、基材シート面側、または、隠蔽層側に、前記該書類に貼着するための粘着層が設けていることを特徴とする隠蔽シールとしたものである。
【０００８】
また請求項２の発明では、可視光および近赤外光４００〜１４００ｎｍにおける反射率が７０%以上の反射性基材上に、機密情報が記載された領域があり、この領域が請求項１に記載の隠蔽シールで隠蔽されていることを特徴とする機密情報用書類としたものである。
【０００９】
また請求項３の発明では、前記機密情報が青色のボールペンにて記載されていることを特徴とする請求項２記載の機密情報用書類としたものである。
【００１０】
また請求項４の発明では、請求項２又は３記載の機密情報用書類の機密情報を、前記隠蔽シールを剥がさずに、読み取る機密情報読取方法であって、可視光４００〜７８０ｎｍのうち隠蔽層を透過する任意の波長の光を照射して読み取ることを特徴とする機密情報読取方法としたものである。
【発明の効果】
【００１１】
本発明は以上の構成であるから、下記に示す如き効果がある。
【００１２】
即ち、上記発明の隠蔽シールは、可視光の一部の波長領域および近赤外光の波長領域を透過する墨インキにて隠蔽層を設けているため、機密情報用書類に機密情報を記入するのに用いる筆記用具が特に限定されず、例えば青系のボールペン等にて記入しても、この機密情報を、隠蔽シールを貼った状態のまま、目視に対しては識別できず、隠蔽層を透過する任意の可視光を照射して機械による読み取りに対しては識別が可能となる。
【発明を実施するための最良の形態】
【００１３】
以下、図面を用いて本発明の実施の形態を詳細に説明する。
【００１４】
図１は、本発明の隠蔽シールを貼った機密情報用書類の一実施例を示す平面図であり、図２は、図１の機密情報用書類に隠蔽シールを貼る前の平面図である。図３は、図1の隠蔽シールを用いた機密情報用書類の断面図である。図４は、本発明の機密情報用書類の一実施例における機密情報記入層の反射率と波長の関係を示すグラフであり、図５は、本発明の隠蔽シールの一実施例における隠蔽層、および、比較例の隠蔽層の反射率と波長の関係を示すグラフである。
【００１５】
図３に示すように、本発明による隠蔽シール１は、可視光および近赤外光透過性の基材１１上に、少なくとも片面に、可視光の一部波長領域と近赤外光を透過する墨インキにより隠蔽層１２を設け、さらに片側に粘着層１３が設けられたものである。また、本発明による機密情報用書類２は、可視光および赤外光反射性の基材２１上に、情報印刷層２２を設けてあり、筆記用具にて機密情報記入層２３を記入したものである。
【００１６】
尚、本発明で云う可視光および近赤外光透過性の基材１１とは、可視光および近赤外光を透過する性質を持つ基材であり、特には、情報印刷層２２や機密情報記入層２３の吸収がある波長域の吸光度と比較し、可視光および近赤外光の吸光度が低い基材が好適である。例えば、透明なフィルムであっても良いし、白い用紙で厚み等により上記の条件を満たすものであれば良い。
【００１７】
また、隠蔽層１２を構成する墨インキは、印刷できるインキであって、オフセット印刷インキ、スクリーン印刷インキ、フレキソ印刷インキ、グラビア印刷インキ、インクジェットインキ等の公知の印刷法にて使用できるインキであり、太陽光等の自然光や通常使用される蛍光灯の下で、目視では黒色と認識するが、可視光の一部の波長領域と近赤外光を透過する特性を有する。墨インキとしては、例えば、ペリレン顔料を用いたインキが使用可能である。前記ペリレン顔料は、分子固有の吸収バンドと分子間相互作用に起因する吸収バンドの双方で可視光領域の波長を覆い、可視光の一部の波長は透過するが、黒色を呈する。目視では黒色に観察できるため、意匠性については従来通りで、隠蔽性を持ち、問題なく設けることができ、また、可視光の一部から近赤外光を透過するため、透過する波長域にある可視光線の任意の光を照射し、カメラで観察することにより、容易に機密情報記入層を、目視に対して隠蔽したまま、読み取ることが可能になる。
【００１８】
可視光とは、一般に波長３８０〜７８０ｎｍの領域を言い、近赤外線は、７８０ｎｍ以上の長い波長域の光である。通常の墨インキは、可視光および近赤外光を吸収する。通常の印刷の墨インキに使用される顔料としては、例えばカーボンブラックが代表としてあげられるが、可視から近赤外までの光を吸収するため、目視に対しても高い隠蔽性を示すが、選択的な波長の読み取りに対しても、隠蔽してしまう。
【００１９】
粘着層１３は、接する基材を変質させたり、侵したりするものでなければ、一般的な接着材料を用いることができる。例えば、塩化ビニル−酢酸ビニルの共重合体、ポリエステル系、ポリアミド、アクリル系、ブチルゴム系、天然ゴム系、シリコン系、ポリイソブチル系の粘着剤を単独、もしくは、アルキルメタクリレート、ビニルエステル、アクリルニトリル、スチレン、ビニルモノマー等の凝集成分、不飽和カルボン酸、ヒドロキシ基含有モノマー、アクリルニトリル等に代表される改質成分や重合開始剤、可塑剤、硬化剤、硬化促進剤、酸化防止剤等の添加剤を必要に応じて添加したものを用いることができる。この粘着層の形成には、公知のグラビア印刷法、オフセット印刷法、スクリーン印刷法などの塗布方法等を用いることができる。
【００２０】
また、可視光および赤外光反射性の基材２１とは、可視光および近赤外光を反射する性質を持つ基材であり、特には、情報印刷層２２や機密情報記入層２３の反射率に比べて、かなり高い反射性を持つ基材が好適である。紙の種類としては、アートコート紙、上質紙等の用紙、特殊証券用紙、白色のポリエステル樹脂シート、白色の塩化ビニルシートなどが使用可能であるが、特に上質紙が好ましい。
【００２１】
情報印刷層２２は、印刷できるインキであって、オフセット印刷インキ、スクリーン印刷インキ、フレキソ印刷インキ、グラビア印刷インキ、インクジェットインキ等の公知の印刷法にて使用できるインキであり、特に限定されないが、機械読み取りの際に、機密情報層と共に一緒に読み取る情報は墨インキで、読み取りたくない情報は墨インキ以外のプロセスインキにて印刷すると好ましい。
【００２２】
機密情報記入層２３は、従来は、赤外線で読み取るには、黒色の鉛筆のみ、もしくは、特殊な赤外線を吸収するインクによる筆記用具のみでの筆記が必要であったり、また、複雑な機械の読み取りをする検証機具が必要であったりしたが、本発明においては、一般の市販されている筆記用具が使用でき、正式な書類に使用される筆記用具は黒色のボールペン、青色のボールペンで記入することができる。
【００２３】
図４の３１や３２に示すように、一般的に、鉛筆や黒色のボールペンは、可視光および赤外光に吸収を持つが、３１に示すように青色のボールペンは赤外光に吸収がないために透過し、基材が赤外線を反射する場合においては、赤外光を反射する。そのため、赤外線で情報を読み取る場合は青色のボールペンは読み取ることができなかった。しかし、図５
の４１に示すように、本発明の隠蔽層では、青色のボールペンが光を吸収している波長域の光を透過する。隠蔽層を透過してきた光が青色のボールペンが記入した機密情報記入層で吸収され、光は反射しないが、機密情報記入層のない部分は、光が基材で反射されるために、機械での読み取りが可能となる。
【実施例】
【００２４】
以下に、本発明の実施例を具体的に説明する。
【００２５】
＜実施例１＞
上質紙に、あらかじめ、オフセット印刷法により下記の情報印刷層を印刷して機密情報用書類を作製し、一般的な下記の筆記用具にて、鉛筆、黒色ボールペン、青色のボールペンにて、下記の機密情報記入層１〜３をそれぞれ記入して機密情報用書類を得た。一方、可視光および赤外光透過性基材として白色系の上質タック紙上にオフセット印刷法により、下記の本発明の隠蔽層１を印刷し、隠蔽シールを得た。前記機密情報用書類に、機密情報記入層が隠蔽されるように貼り付けた。
［機密情報記入層１−市販の鉛筆］
鉛筆  ８９００ＨＢ    （トンボ鉛筆社製）
［機密情報記入層２−市販のボールペン  ブラック色］
ＰｏｗｅｒＴａｎｋ  ブラック色（三菱鉛筆社製）
［機密情報記入層３−市販のボールペン  青色］
Ｇ−ｋｎｏｃｋ  青色    （パイロット社製）
［情報印刷層  プロセスインキ］
ＵＶ１６１黄Ｓ（Ｔ＆Ｋ  ＴＯＫＡ社製）
ＵＶ１６１紅Ｓ（Ｔ＆Ｋ  ＴＯＫＡ社製）
ＵＶ１６１藍Ｓ（Ｔ＆Ｋ  ＴＯＫＡ社製）
［隠蔽層１  本発明の隠蔽層］
Ｃ．Ｉ．Ｐｉｇｍｅｎｔ  Ｂｌａｃｋ３１      １５部
ＵＶ１６１メジウムＳ                        ８５部
このようにして得た機密情報用書類を実施例１の機密情報用書類とした。
【００２６】
以下に、本発明の比較例について説明する。
【００２７】
＜比較例１＞
実施例１において、下記の通常の墨インキにて隠蔽層２を設けた以外は同様にして、隠蔽シールを得て機密情報用書類に貼り付けた。
［隠蔽層２  通常の墨インキ］
ＵＶ１６１墨Ｓ    （Ｔ＆Ｋ  ＴＯＫＡ社製）
このようにして得た機密情報用書類を比較例１の機密情報用書類とした。
【００２８】
＜比較例２＞
実施例１において、下記の赤外線透過性の墨インキを用いて隠蔽層３を設けた以外は同様にして、隠蔽シールを得て、機密情報用書類に貼り付けた。
［隠蔽層３  赤外線透過性の墨インキ］
改ＵＶ  ＨＲ  ＦＬ  コンク墨  （Ｔ＆Ｋ  ＴＯＫＡ社製）
このようにして得た機密情報用書類を比較例２の機密情報用書類とした。
【００２９】
＜評価＞
実施例１の隠蔽シールが貼り付けられた機密情報用書類および比較例１、２の隠蔽シールが貼り付けられた機密情報用書類を以下の方法で評価した。その結果を表１に示す。
【００３０】
（１）目視での機密情報の隠蔽性
各実施例及び比較例で得た隠蔽シールにより、機密情報用書類の機密情報記入層が視認できるかどうか評価した。
【００３１】
（２）近赤外光での機密情報記入層の読み取り性
各実施例及び比較例で得た秘密情報用書類が隠蔽シールを貼り付けられた状態で、近赤外線（波長：９００ｎｍ）を照射して、赤外線カメラで観察し、機密情報記入層が読み取れるかどうか評価した。
【００３２】
（３）可視光での機密情報記入層の読み取り性
各実施例及び比較例で得た機密情報用書類に隠蔽シールを貼り付け、可視光（波長：７００ｎｍ）を照射して、近赤外線カメラで観察し、機密情報記入層が読み取れるかどうか評価した。
【００３３】
【表１】
2010032684.tif 000003
表１に示すように、実施例１及び比較例１、２の秘密情報用書類は、隠蔽シールにより隠蔽されており、機密情報記入層を目視では見ることができない。さらに、近赤外線を照射して近赤外線カメラで観察すると、比較例１ではすべての機密情報記入層を見ることができず、実施例１及び比較例２は機密情報記入層１及び２のみ読み取ることができた。しかし、可視光の光を照射し、反射光を読み取ると、比較例１及び２の機密情報記入層を観察することはできないが、本発明の実施例１は機密情報記入層１〜３すべてを読み取ることが可能であった。
【図面の簡単な説明】
【００３４】
【図１】本発明の隠蔽シールを貼った機密情報用書類の一実施形態を示す平面図である。
【図２】図１の機密情報用書類における、本発明の隠蔽シールを貼り付ける前の平面図である。
【図３】図１の機密情報用書類のＸ―Ｘ線における断面図である。
【図４】本発明の機密情報用書類の一実施例における機密情報記入層の反射率と波長の関係を示すグラフである。
【図５】本発明の隠蔽シールの一実施例における隠蔽層、および、比較例の隠蔽層の反射率と波長の関係を示すグラフである。
【符号の説明】
【００３５】
１…隠蔽シール
１１…可視光および近赤外光透過性の基材
１２…隠蔽層
１３…粘着
２…機密情報用書類
２１…可視光および近赤外光反射性の基材
２２…情報印刷層
２３…機密情報記入層
３１…機密情報記入層部の一実施例の分光波形
３２…機密情報記入層部の一実施例の分光波形
４１…本発明の隠蔽シールの一実施例における隠蔽層貼付部の分光波形
４２…本発明の一比較例における隠蔽層貼付部の分光波形
４３…本発明のもう一比較例における隠蔽層貼付部の分光波形
【図２】
2010032684.tif 000004
【図４】
2010032684.tif 000005
【図５】
2010032684.tif 000006
【図１】
2010032684.tif 000007
【図３】
2010032684.tif 000008